(57)【要約】  ＲＦ分配システムはその構成を決定し、および決定された構成の一貫性を検証する。デバイス識別子に基づいて、ＲＦ分配システムは、それぞれのＲＦコンポーネントに、別々に、生成信号を提供するように命令することができる。従って、第１のＲＦコンポーネントは、第１のポートの信号を変調できる。第２のＲＦコンポーネントが、第２のポートで変調された信号を検出すると、次に、ＲＦ分配システムは、２つのＲＦコンポーネントが一緒に接続されていると判断する。手続きは、残りのＲＦコンポーネントに対して、ＲＦ分配システムのＲＦ構成が決定されるまで繰り返される。決定されたＲＦ構成は、さらに、一貫した動作を検証する。ＲＦ分配システムは、ＲＦスペクトルもスキャンし、スキャンに基づいてＲＦ分配システムにとって互換性のあるＲＦを提供する一組の周波数を決定し、および、該一組の周波数に対応するＲＦコンポーネントを構成する。
2013507831.tif 000002
【特許請求の範囲】
【請求項１】
ＲＦ分配システムの第１の無線周波数（ＲＦ）コンポーネントに、生成信号を提供するように命令する工程と、
前記信号が検出された場合に、第２のＲＦコンポーネントから情報を受信する工程であって、前記情報は、第１のＲＦコンポーネントと前記第２のＲＦコンポーネントとが電気的に接続されたことを示す情報である工程と、
前記ＲＦ分配システムの残りのＲＦコンポーネントに対して、前記命令する工程と、前記受信する工程を繰り返す工程と、
前記命令する工程、前記受信する工程、および前記繰り返す工程に基づいて、前記ＲＦ分配システムのＲＦ構成を決定する工程を含む方法。
【請求項２】
請求項１に記載の方法において、
前記生成信号のＤＣ電圧レベルを変化させることによって、前記生成信号を変調する工程をさらに含む方法。
【請求項３】
請求項１に記載の方法において、
変調信号によって前記生成信号を変調する工程であって、前記変調信号は、トーンによって特徴付けられる工程をさらに含む方法。
【請求項４】
請求項１に記載の方法において、
前記繰り返す工程は、次のＲＦコンポーネントのデバイス識別子に基づいて、次のＲＦコンポーネントを決定する工程をさらに含む方法。
【請求項５】
請求項４に記載の方法において、
前記デバイス識別子は、媒体アクセス制御（ＭＡＣ）アドレスを含む方法。
【請求項６】
請求項１に記載の方法において、
一貫した動作のために決定されたＲＦ構成を検証する工程をさらに含む方法。
【請求項７】
請求項６に記載の方法において、
前記検証する工程は、接続されたＲＦコンポーネントに対する周波数帯の一貫性を検証する工程を含む方法。
【請求項８】
請求項６に記載の方法において、
前記検証する工程は、前記ＲＦ分配システムのそれぞれのＲＦコンポーネントが、別のコンポーネントに接続されていることを検証する工程を含む方法。
【請求項９】
請求項１に記載の方法において、前記検証する工程は、
それぞれのＲＦコンポーネントが前記ＲＦ構成の末端でない場合には、それぞれの前記ＲＦコンポーネントは先行するＲＦコンポーネント、および後続するＲＦコンポーネントに接続されていることを検証する工程を含む方法。
【請求項１０】
請求項１に記載の方法において、
ＲＦスペクトルに関するスペクトル情報を得る工程と、
前記スペクトル情報に基づいて、前記ＲＦ分配システムに対して互換性を有するＲＦを提供する一組の周波数を決定する工程と、
前記一組の周波数に従う、前記第１のＲＦコンポーネントと前記第２のＲＦコンポーネントを構成する工程を、さらに含む方法。
【請求項１１】
第１の無線周波数（ＲＦ）コンポーネントと、
第２のＲＦコンポーネントと、
少なくとも一つのプロセッサ−と、
機械で実行可能な命令を記憶するメモリであって、前記命令が実行されると、装置を、
ＲＦ分配システムの第１のＲＦコンポーネントに信号を生成するように命令する工程と、
前記第２のＲＦコンポーネントで、前記信号が検出されると、前記第２のＲＦコンポーネントから、前記第１のＲＦコンポーネントと前記第２のＲＦコンポーネントが電気的に接続されたことを示す情報を受信する工程と、
前記ＲＦ分配システムの残りのＲＦコンポーネントに対して、前記命令する工程と、前記受信する工程とを繰り返す工程と、
前記命令する工程、前記受信する工程、および前記繰り返す工程に基づいて、前記ＲＦ分配システムのＲＦ構成を決定する工程として動作させるメモリとを含む装置。
【請求項１２】
請求項１１に記載の装置において、
第１のプロセッサ−は前記第１のＲＦコンポーネントに実装され、および第２のプロセッサ−は、前記第２のＲＦコンポーネント実装される装置。
【請求項１３】
請求項１１に記載の装置において、
ＲＦスペクトルをスキャンし、およびスキャン結果を少なくとも一つのプロセッサ−に提供するスキャナをさらに含み、
前記命令は、前記装置を、さらに、
前記装置に互換性のあるＲＦを提供するために、前記スキャン結果から一組の周波数を決定させ、前記一組の周波数に従って、前記第１のＲＦコンポーネントと前記第２のＲＦコンポーネントを構成するように動作させる装置。
【請求項１４】
請求項１１に記載の装置において、
前記第１のＲＦコンポーネントは、前記信号のＤＣ電圧レベルを変化させて、前記信号を変調させる装置。
【請求項１５】
請求項１１に記載の装置において、
前記第１のＲＦコンポーネントは、変調信号によって前記信号を変調し、前記変調信号は、トーンによって特徴付けられる装置。
【請求項１６】
請求項１１に記載の装置において、
前記命令は前記装置に、
媒体アクセス制御（ＭＡＣ）アドレスに基づいて、次のＲＦコンポーネントを決定させる装置。
【請求項１７】
請求項１１に記載の装置において、
前記命令は、さらに前記装置に、
前記決定されたＲＦ構成の動作の一貫性を検証させる装置。
【請求項１８】
コンピュータ−実行可能な命令を記憶するコンピュータ読み取り可能な記憶媒体であって、前記命令が実行されると、プロセッサ−に、
ＲＦ分配システムの第１の無線周波数（ＲＦ）コンポーネントに、変調された信号を生成するように命令する工程と、
前記変調された信号が検出されると、第２のＲＦコンポーネントから、第１のＲＦコンポーネントと第２のＲＦコンポーネントが電気的に接続されたことを示す情報を受信する工程と、
前記ＲＦ分配システムの残りのＲＦコンポーネントに対して、前記命令する工程と前記受信する工程とを繰り返す工程と、
前記命令する工程、前記受信する工程、および前記繰り返す工程に基づいて、前記ＲＦ分配システムのＲＦ構成を決定する工程を含む方法を実行させる記憶媒体。
【請求項１９】
請求項１８に記載のコンピュータ読み取り可能な記憶媒体において、
前記方法は、デバイス識別子に基づいて次のＲＦコンポーネントを決定する工程をさらに含む記憶媒体。
【請求項２０】
請求項１８に記載のコンピュータ読み取り可能な記憶媒体において、
前記方法は、さらに、一貫した動作のために前記決定されたＲＦ構成を検証する工程をさらに含む方法。
【請求項２１】
請求項１８に記載のコンピュータ読み取り可能な記憶媒体において、
前記方法は、それぞれのＲＦコンポーネントが前記ＲＦ構成の末端でない場合には、それぞれの前記ＲＦコンポーネントは、先行するＲＦコンポーネント、および後続するＲＦコンポーネントに接続されていることを検証する工程をさらに含む記憶媒体。
【請求項２２】
請求項１８に記載のコンピュータ読み取り可能な記憶媒体において、
前記方法は、さらに、スキャナにＲＦスペクトルをスキャンさせるように命令する工程と、
前記スキャナからスキャン結果を受信する工程と、
前記受信に応答して、前記ＲＦ分配システムに対して互換性を有するＲＦを提供する一組の周波数を決定する工程と、
前記一組の周波数に対応する、前記第１のＲＦコンポーネントと前記第２のＲＦコンポーネントを構成する工程とを含む記憶媒体。
【発明の詳細な説明】
【技術分野】
【０００１】
本出願は、２００９年１０月７日に申請された米国仮特許出願番号第６１／２４９、４３８号、および２００９年１１月２５日に申請された米国特許出願番号第１２／６２６、１０５号の利益を主張し、これらは、参照することにより本明細書に援用される。
【背景技術】
【０００２】
無線マイクロホンレシーバは、しばしば同軸アンテナ分配システムに接続されている。レシーバは、典型的には、分配増幅器に接続され、および一本の同軸ケーブルを介してお互いにカスケード接続されている。レシーバに割り当てられる周波数範囲は、イーサネット（登録商標）などのネットワーク・プロトコルを介して制御することができる。分配増幅器および関連するレシーバが異なるフィルター周波数帯で構成されると、ミスマッチによって、システム性能が劣化し、または、動作しなくなる。その上、コンポーネントが適切に接続されていないと、分配システムは適切に動作できない。
【発明の概要】
【課題を解決するための手段】
【０００３】
この要約は、以下の詳細な説明にさらに記載される概念の一部を、単純化した形態で紹介するものである。この要約は、本発明のキーとなる特徴または本質的な特徴を特定することを意図するものではない。
【０００４】
ＲＦ分配システム（例えば、ワイアレス  マイクロホンレシーバ、スキャナ、アンテナ分配システム、または、本明細書に記載のコンポーネントの一部または全部を含むすべてのシステム）は、その構成を決定し、および決定された構成の一貫性を検証する。分配システムの第１のＲＦコンポーネントは、第１のポートの信号を変調する。第２のＲＦコンポーネントが、第２のポートで変調された信号を検出すると、次に、プロセッサ−は、２つのＲＦコンポーネントが一緒に接続されていると判断する。プロセッサ−によって構成が決定されると、ＲＦ分配は、構成に一貫性があるか否かを検証する（例えば、接続されたコンポーネントが同一周波数帯で動作するか否か、および、すべてのコンポーネントが少なくとも一つの他のコンポーネントに接続されているか否か）。
【０００５】
本発明の別の態様によれば、ＲＦ分配システムは、ＲＦ分配システムの第１のＲＦコンポーネントに、生成信号を提供するように命令する。第２のＲＦコンポーネントから情報が検知された場合には、ＲＦ分配システムは、第１のＲＦコンポーネントと第２のＲＦコンポーネントが電気的に接続されたと決定する。手続きは、残りのＲＦコンポーネントに対して繰り返され、ＲＦ分配システムのＲＦ構成が決定できる。第１のＲＦコンポーネントは、ＤＣ電圧レベルを変更すること、またはトーンに基づいて生成信号を変調できる。
【０００６】
本発明の別の態様によれば、それぞれのＲＦコンポーネントのデバイス識別子に基づいて、ＲＦ分配システムは、それぞれのＲＦコンポーネントに、別々に、生成信号を提供するように命令することができる。デバイス識別子は、イーサネット、ＵＳＢ、およびＺｉｇｂｅｅ（登録商標）を含むサポートされたプロトコルによって支持される、デバイスアドレスから得ることができる。
【０００７】
本発明の別の態様によれば、決定されたＲＦ構成は、一貫した動作を検証することができる。例えば、接続されたＲＦコンポーネントの周波数帯の一貫性を検証し、ＲＦ分配システムのそれぞれのＲＦコンポーネントが、別のコンポーネントに接続されていることを検証し、および、ＲＦコンポーネントがＲＦ構成の末端でない場合には、それぞれのＲＦコンポーネントが、先行するＲＦコンポーネント、および後続するＲＦコンポーネントに接続されていることを検証できる。
【０００８】
本発明の別の態様によれば、ＲＦ分配システムは、ＲＦスペクトルをスキャンし、スキャンに基づいてＲＦ分配システムにとって互換性のあるＲＦを提供する、一組の周波数を決定し、一組の周波数に対応するＲＦコンポーネントを構成する。
【０００９】
同様の参照番号が同様の特徴を示す、添付の図面を考慮して、以下の記載を参照することによって、本発明の例示的な実施形態および利点をより完全に理解することができる。
【図面の簡単な説明】
【００１０】
【図１】本発明の例示的な実施形態による、ワイアレスシステムを支持するための装置を示す。
【図２】本発明の例示的な実施形態による、レシーバのブロック図を示す。
【図３】本発明の例示的な実施形態による、ワイアレスシステムのために、ＲＦ構成の自己発見を実施するためのフローチャートを示す。
【図４】本発明の例示的な実施形態による、ＲＦ分配システムのためのＲＦ構成を示す。
【図５】本発明の例示的な実施形態による、ワイアレスシステムのためのＲＦ構成を示す。
【図６】本発明の例示的な実施形態による、ワイアレスレシーバに接続されている、分配増幅器のブロック図を示す。
【図７】本発明の例示的な実施形態による、分配増幅器ユニットおよびレシーバユニットのバックパネルを示す。
【発明を実施するための形態】
【００１１】
多様な例示的な実施形態の以下の記述では、実施形態の一部を形成し、および、本発明を実施することができる、種々の実施形態を説明するために示される添付図面について説明する。本発明の範囲から逸脱しない範囲で、他の実施形態を利用することができ、並びに、構造的な変更および機能的な変更を実施することができることが理解されるべきである。
【００１２】
本発明の態様は、無線周波数（ＲＦ）分配システム（例えば、ワイアレス  マイクロホンレシーバ、スキャナ、アンテナ分配システム、または、本明細書に記載のコンポーネントの一部または全部を含むすべてのシステム）の構成を決定し、および決定された構成の一貫性を検証することに関する。分配システムの第１のＲＦコンポーネントは、第１のポートの信号を変調する。第２のＲＦコンポーネントが、第２のポートで変調された信号を検出すると、次に、プロセッサ−は、２つのＲＦコンポーネントが一緒に接続されていると判断する。プロセッサ−によって構成が決定されると、プロセッサ−は、該構成に一貫性があるか否かを検証できる（例えば、接続されたコンポーネントが同一周波数帯で動作するか否か、および、すべてのコンポーネントが少なくとも他のコンポーネントに接続されているか否か）。
【００１３】
図１は、本発明の例示的な実施形態による、ワイアレスシステムを支持するための装置を示す。マイクロホンレシーバ１０５、１０７、１０９、および１１１は、同軸アンテナ分配システム中で、分配増幅器１０３を介してアンテナ１０２に接続される。レシーバ１０５、１０７、１０９、および１１１、並びに、分配増幅器１０３は、例えば、イーサネット等のネットワーク・プロトコルを介して、それぞれが、イーサネット接続１５３、イーサネット接続１５５、イーサネット接続１５７、イーサネット接続１５９、およびイーサネット接続１５１されたプロセッサ−１０１によって制御できる。図１では、それぞれが分かれたイーサネット接続を示すが、接続されたデバイス、および、それぞれのデバイスに割り当てられた固有のアドレスによってイーサネット接続が得られる、デイジーチェーン構成を介して、イーサネットの接続性が支持される。
【００１４】
分配増幅器１０３、並びに、関連するレシーバ１０５、１０７、１０９、および１１１が異なる周波数範囲または周波数帯（「周波数帯」と称する）で構成されると、ミスマッチによって、システム性能が劣化し、または、動作しなくなる。レシーバ１０５、１０７、１０９、および１１１のアンテナポート（例えば、レシーバ１０５の入力ＲＦポート１７１）、および、ライン増幅器およびパワーアンテナを駆動するために使用される分配増幅器１０３に、電圧源が存在する。プロセッサ−１０１によって発行された、イーサネット接続を介した特定のレシーバへの、所定のネットワークシステムコマンドによって、ＤＣ電圧は、変調するために使用できる（例えば、ＯＮ／ＯＦＦまたは複数の電圧レベル）。実施形態では、ＤＣ電圧は、動作電圧レベル（例えば、１２ボルト）と中間電圧レベル（例えば、１０．５ボルトまたは１３．５ボルト）間で、信号のＤＣ成分を変化させることで変調される。変調されたＤＣ電圧は、アップストリ−ムレシーバによって検出できる（例えば、レシーバ１０７がレシーバ１０７の入力ＲＦポートで信号を変調しているのであれば、出力ＲＦポート１７３で）、および、これらのＲＦコンポーネント間のＲＦリンク（例えば、ＲＦ接続１６０、１６１、１６２、１６３または１６５）が決定された（発見された）ことを、システムプロセッサ−１０１に通知する、検出レシーバによって、メッセージをイーサネットネットワーク上に送出できる。ＲＦコンポーネントが異なる周波数帯に同調され、および一緒に接続されている場合には、ＲＦ分配システム１００は、表示デバイス１１５に指示情報を表示できるシステムソフトウェアによって、ユーザにミスマッチを通知できる。
【００１５】
他の実施形態は、異なった方法で、入力ＲＦポート１７１の信号を変調できる。例えば、信号は、一つ以上のトーンまたはシリアル／デュプレックスデータストリームで変調できる。
【００１６】
いくつかの実施形態では、シンプレックス／デュプレックス、デジタルデータストリーム（例えば、ＵＡＲＴによって）、低速シンプレックスデータストリーム、または単一パルス識別子（例えば、単一の識別ビットだけを有するフォーマットされていないデータ）を使用して、ポート１７１で信号の情報を送出できる。
【００１７】
図１に示された実施形態では、レシーバ（例えば、レシーバ１０５）は、入力ＲＦポート（例えば、ポート１７１）の信号を変調するので、ＲＦリンクを介して、コンポーネントが一緒に接続されている場合に、先行する（アップストリ−ム）ＲＦコンポーネント（レシーバまたは分配増幅器、例えば、増幅器１０３）が変調された信号を検出する。しかしながら、他の実施形態では、ＲＦコンポーネントは、出力ＲＦポート（例えば、ポート１７３）を変調できるので、次の（ダウンストリーム）ＲＦコンポーネント（例えば、レシーバ１０７）は、その入力ＲＦポートで変調された信号を検出できる。
【００１８】
ＲＦ分配システム１００は、自動的に、同一周波数帯に動作周波数を割り当てることで、レシーバ１０３、レシーバ１０５、レシーバ１０７、およびレシーバ１０９を構成することもできる。構成手続きは、スキャナ１１７によって周波数帯（単数または複数）をスキャンし、および最も良好なＲＦ互換性を提供する一組の周波数を決定した後に、実施できる。スキャナ１１７は、ＲＦリンク１６２を介して、分配増幅器１０３からＲＦスペクトルをアクセスし、および、スペクトルに関する情報をプロセッサ−１０１へイーサネット接続１５８を介して提供する。一緒にカスケード接続されるレシーバ（例えば、レシーバ１０５および１０７）は、次に同一周波数帯で構成され、および、その周波数帯内に個々のチャンネルがプログラムされる。システムセットアップは、ユーザには、システム構成を決定し、明瞭な周波数をスキャンし、周波数帯内の互換周波数を演算し、および、演算された周波数（チャンネル）にレシーバを構成する、単一の動作のように思われる。
【００１９】
システム初期設定時、ＲＦコンポーネントがシステム１００に追加される場合、またはシステム１００の動作中に、ＲＦ分配システム１００はＲＦ構成を決定できる。システム１００は、ユーザからの入力に応答するように、周期的に（例えば、あらかじめ定められた時間間隔に一度）、または自動的に（例えば、システムが初期化される場合、または、ＲＦコンポーネントがＲＦ分配システム１００に追加される場合）構成することができる。
【００２０】
イーサネットネットワークを介して、ＲＦコンポーネントにメッセージを送出することによって、プロセッサ−１０１は、ＲＦコンポーネントの入力ＲＦポートで、信号を変調するように、ＲＦコンポーネントに命令できる。従って、命令されたＲＦコンポーネントに接続されているＲＦコンポーネントは、変調された信号が検出されたことを、プロセッサ−１０１に通知する、メッセージを、イーサネットネットワークによってプロセッサ−１０１に送信する。
【００２１】
プロセッサ−１０１は、例えば、メモリ１１３等のコンピュータ読み取り可能な記憶媒体からコンピュータで実行可能な命令を実行でき、発見プロセス（本明細書に記載のすべてのプロセスまたは何れか）を実施する。いくつかの実施形態では、装置１１０は、プロセッサ−１０１およびメモリ１１３を備えることができる。装置１１０は、一つ以上の特定用途向け集積回路（ＡＳＩＣ）、複合プログラマブル論理デバイス（ＣＰＬＤ）、フィールドプログラマブルゲートアレ−（ＦＰＧＡ）、または他の集積回路を含むことができる。コンピュータ記録媒体は、コンピュータで読み取り可能な命令、データ構造、プログラムモジュール、または、他のデータなどの情報記憶のための何れかの方法、または技術が実装された、揮発性および不揮発性、可搬性および非可搬性媒体を含むことができる。コンピュータ記録媒体は、これらに限定されるわけではないが、所望の情報を記憶するために使用でき、および、プロセッサ−１０１がアクセスできる、ランダムアクセスメモリ（ＲＡＭ）、読み出し専用メモリ（ＲＯＭ）、電気的消却・プログラム可能型読み出し専用メモリ（ＥＥＰＲＯＭ）、フラッシュメモリまたは他のメモリ技術、ＣＤ−ＲＯＭ、デジタル多用途ディスク（ＤＶＤ）または他の光ディスク記憶、磁気カセット、磁気テープ、磁気ディスク記憶、または、他の磁気ディスクデバイス、若しくは、何れかの他の媒体を含む。実行可能な命令は、本明細書に記載のすべての、または何れかの方法の工程を実行できる。いくつかの実施形態では、装置１１０（例えば、ラップトップコンピュータ）は、図１に示すレシーバ、スキャナ、および分配増幅器の外部にあってもよい。他の実施形態では、装置１１０は、それぞれのデバイス（例えば、レシーバ１０５および１０７および／または分配増幅器１０３）に組み込まれてもよく、外部コンピュータは必ずしも必要とされない。
【００２２】
装置１００または装置１００の一部は、本明細書に記載の一つ以上の実施形態に関して記載されている動作を、実施するための命令を有する、一つ以上の特定用途向け集積回路（ＡＳＩＣ）、複合プログラマブル論理デバイス（ＣＰＬＤ）、フィールドプログラマブルゲートアレ−（ＦＰＧＡ）、または他の集積回路として、実装されることができる。前記命令は、機械が読み取り可能な媒体に記憶された、ソフトウェアおよび／またはファームウェア命令であってもよく、並びに／または、一つ以上の集積回路および／または他の回路要素と組み合わせられた一つ以上の集積回路の、一連の論理ゲートおよび／または状態マシン回路として、ハードコード化されてもよい。
【００２３】
図２は、本発明の例示的な実施形態によるレシーバ１０５のブロック図を示す。イーサネット接続１５３を介して、プロセッサ−２０１によって命令されると（メッセージ２５１に対応する）、レシーバ１０５は、入力ＲＦポート１７１の信号を変調する。信号を変調するために、電力供給モジュレーションハードウェア２０１は、電力供給２０３の電圧レベルを変更する。ＲＦチョーク２０５は、電力供給２０３を、ＲＦ回路２０６によって処理されたＲＦ信号成分から分離する。アップストリ−ムレシーバ（図示せず）は、変調された信号を検出する。
【００２４】
レシーバ１０５は、ダウンストリームレシーバ（図示せず）からの変調された信号を、検出するための検出回路を含むこともできる。出力ＲＦポート１７３を介して、変調された信号を検出するために、検出器２０９は、変調された信号のＤＣ電圧推移を検出し、および、該発生をプロセッサ−２０１へイーサネット接続１５３を介して報告する（メッセージ２５３に対応）。ＲＦカスケード回路２０８が、ＲＦ信号をダウンストリームレシーバに提供する場合には、ＲＦチョーク２０７は、検出器２０９に対してＲＦ分離を提供する。検出器２０９は、スロープ検出器またはアナログ−デジタルコンバータ（ＡＤＣ）を含む、異なった形態であってもよい。
【００２５】
図３は、本発明の例示的な実施形態によるＲＦ分配システム１００で、ＲＦ構成の自己発見を実施するためのフローチャート３００を示す。ブロック３０１では、プロセス３００で、すべてのＲＦ体（例えば、レシ−バ、分配増幅器、およびスキャナ）が試験されたか否かを決定する。もしそうでない場合には、次のＲＦ体が、ブロック３０３で決定される。いくつかの実施形態では、割り当てられた媒体アクセス制御（ＭＡＣ）アドレスから、次のＲＦ体が決定される。次のＲＦ体は異なる基準で選択されてもよく、例えば、ＭＡＣランダムに選択し、または、あらかじめ決定された順番で、ＭＡＣアドレスを選択してもよい。いくつかの実施形態では、ＭＡＣアドレスのランダムな選択は、疑似ランダムプロセスによって近似されてもよい。
【００２６】
前述のように、ＭＡＣアドレスの使用によって、デバイス識別子として機能する。しかしながら、他の実施形態では、他の形態のデバイスを特定する識別子を使用することができる。例えば、いくつかの実施形態では、イーサネットとは別の他のプロトコル（例えば、ＵＳＢまたはＺｉｇｂｅｅ）を支持できる。
【００２７】
ブロック３０５では、プロセッサ−１０１は、選択されたＲＦ体に、その入力ＲＦポートで信号を変調するように命令する。ブロック３０７、ブロック３０９、およびブロック３１１では、命令されたＲＦ体が、アンテナ（例えば、アンテナ１０２）に接続されている分配増幅器（例えば、図１に示すように分配増幅器１０３）である場合を除いて、アップストリ−ムＲＦ体は、変調された信号を検出し、報告する。さもなければ、いずれのＲＦ体（コンポーネント）も変調された信号を検出しない場合には、構成エラー指示が、プロセッサ−１０１によって生成される。
【００２８】
プロセス３００の結果は、ＲＦ分配システム１００の図形が表示デバイス１１５（図１に示すように）に表示され、さらなる処理とともに使用できる。図形は、ＲＦ体間のハードウェア接続を含むことができ、および、ＲＦ構成にエラーがあるか否かを示すこともできる（例えば、異なる周波数帯に対する２つのレシーバが接続されている場合、またはレシーバが分配増幅器または別のレシーバに接続されていない場合）。分析によって、適切なシステム接続の確認を補助し、および、故障したＲＦケーブルを検出できる。
【００２９】
図４は、本発明の例示的な実施形態による、ワイアレスシステムのＲＦ構成４００を示す。例示的な実施形態では、周波数帯Ｈ、Ｊ、Ｋ、およびＬが、それぞれ、４７０ＭＨｚから５１８ＭＨｚ、５１８ＭＨｚから５７８ＭＨｚ、５７８ＭＨｚから６３８ＭＨｚ、および６３８ＭＨｚから６９８ＭＨｚに対応する。分配増幅器の出力は、４周波数帯の１つ、または、広帯域動作に設定でき、すなわち、出力は４７０ＭＨｚから６９８ＭＨｚの全範囲に及ぶ。図６を参照すると、分配増幅器６０５に対して示されたフィルター周波数帯Ａ、Ｂ、ＣおよびＤは、図４に示すフィルター周波数帯Ｈ、Ｊ、ＫおよびＬに対応する。分配増幅器４０１は、すべての周波数帯（４７０−６９８ＭＨｚ）を通過するように構成される。分配増幅器４０２、分配増幅器４１４、分配増幅器４１５、および分配増幅器４１６（それぞれＨ−０、Ｊ−０、Ｋ−０、およびＬ−０）は、前述のように、４７０ＭＨｚ−６９８ＭＨｚのサブ周波数帯に設定される。それぞれのワイアレス  マイクロホンレシーバ（例えば、レシーバ４０４−４１３）、アンテナ分配増幅器（例えば、増幅器４０１および４０２）、およびスキャナ（図５に示すスキャナ５０３）には、アンテナ入力ポートで、１２−１５Ｖの直流信号成分が存在する。ＤＣ電圧は、一般にライン増幅器およびパワーアンテナを駆動するために使用される。いくつかの実施形態では、（カスケード）ポートを通過するＲＦループは、利用可能なＤＣ電圧源を有さない。アンテナポートでのＤＣ電圧は、ネットワークコマンドによってシステムをセットアップ中に、オンおよびオフにトグルされる（動作電圧を変調する）。レシーバがカスケード接続される場合には、レシーバのアンテナポートからのＤＣ電圧は、先行するレシーバのポートを介してループに存在する。ポートを通過するＲＦループでは、該ＤＣの存在と変調を検出できるので、ＲＦ接続チェーン構成を示すことができる。
【００３０】
例えば、レシーバ（Ｈ−２）４０５の入力アンテナポートのＤＣが、オンおよびオフにトグルされると、変調された信号はレシーバ（Ｈ−１）４０４のポートを介してループによって検出され、および、ネットワークに報告される。報告された指示によって、レシーバが４０５と４０４間のＲＦ接続４６１を共有し、および、同一フィルター周波数帯内で動作するように設定されるべきであることがプロセッサ−１０１に通知される。同様の方法で、ネットワークのそれぞれのレシーバおよび分配増幅器は、ひとつずつ、ポートがトグルされる。別のＲＦ体によって、ＤＣレベル変化が検出されない場合には、トグルされる実体はチェーンのアンテナ端（分配増幅器４０１に対応）にあるものと推定される。ダイバーシティシステムの場合に、１つのアンテナポートのみによって変化が検出される場合は、ＲＦケーブルが故障、または無いことが検出される。
【００３１】
メッセージは、ＲＦ接続の構成を示し、および故障したＲＦケーブルに関する警告を発行する、コンピュータネットワークによって報告できる。レシーバのＲＦ信号は、チェーンの第１のレシーバによって、該周波数帯にフィルタリングされるので、一緒に接続されたレシーバは、同一の周波数帯に設定されるべきである。分配増幅器の周波数帯が選択される場合には、該分配増幅器によってサービスされるそれぞれのレシーバは、選択された周波数帯の中の周波数に設定されるべきである。分配増幅器（例えば、図４に示す増幅器４０１）は、広帯域動作にも設定できる（図６の分配増幅器６０５によって示される周波数帯Ａ、Ｂ、Ｃ、およびＤ内のすべての信号を同時に通過させる）。カスケード接続される分配増幅器のそれぞれ（例えば、増幅器４０２）は、分離された周波数帯に選択され、および４つのレシーバチェーンをサポートし、ここでそれぞれのチェーンは同一の周波数帯である。
【００３２】
アンテナ分配増幅器のループスルーも広帯域動作に設定され、広帯域スキャナを支持する（図４には明確に示されないが、図５で議論される）。
【００３３】
いくつかの実施形態では、分配増幅器（例えば、増幅器４０１および４０２）はカスケード接続され、ＲＦ分配システム１００が支持できるレシーバの数を増加させる。いくつかの実施形態では、第２の分配増幅器（例えば、増幅器４０２）のゲインは、一般にユニティに設定される。
【００３４】
図５は、本発明の例示的な実施形態によるワイアレスシステムのＲＦ構成５００を示す。構成では、分配増幅器５０１およびＲＦ接続５６１を介して、アンテナ５０４からの入力信号の周波数スペクトルをスキャンするスキャナ５０３を利用する。分配増幅器５０１は、フィルタリングされない出力（例えば、出力６５９に対応）だけではなく、フィルタリングされた出力（例えば、図６に示すように出力６５１に対応）の両方を出力する。スキャナ５０３は、接続５６１を介してフィルタリングされない出力を解析し、および、前述したようにプロセッサ−１０１に結果を報告する（図１に示すように）。
【００３５】
分配増幅器５０１が分配増幅器５０２にカスケード接続されると、フィルタリングされた信号（例えば、接続５６３を介してレシーバ５０５へ）とフィルタリングされない信号（例えば、接続５６５を介してレシーバ５０６へ）を供給する。
【００３６】
図６は、本発明の例示的な実施形態による、レシーバユニット６０７、レシーバユニット６０９、レシーバユニット６１１、レシーバユニット６１３、レシーバユニット６１５、およびレシーバユニット６１７に接続されている分配増幅器６０５のブロック図を示す。分配増幅器６０５は、アンテナ６０１およびアンテナ６０３を介して信号を受信し、および、フィルタリングされたＲＦ出力を、それぞれのレシーバへ提供するので、ダイバーシティ応答を提供する。例えばレシーバユニット６０７（レシーバ１およびレシーバ２を備える）は、ＲＦ接続６５１およびＲＦ接続６５３を介して、２つのＲＦ入力信号が提供される。いくつかの実施形態では、レシーバ１およびレシーバ２は、レシーバユニット６０７の内部でカスケード接続され、同一周波数帯に設定れる。他の実施形態では、レシーバ１およびレシーバ２は同軸ケーブルを介して外部でカスケード接続できる。レシーバユニット６０９は、ＲＦ接続６５５およびＲＦ接続６５７を介して、レシーバユニット６０７にカスケード接続される。さらに、レシーバユニット６１１が、レシーバユニット６０９からカスケード接続される。
【００３７】
先述したように、分配増幅器６０５は、接続６５９および接続６６１を介して、フィルタリングされないＲＦ信号も提供し、追加のレシーバまたはスキャナをサポートする。
【００３８】
図７は、それぞれが本発明の例示的な実施形態による、分配増幅器ユニット６０５およびレシーバユニット６０７のバックパネル７０１および７０３を示す。図７は、１つの分配増幅器ユニットおよび１つのレシーバユニットだけを示すが、複数の分配増幅器ユニットおよびレシーバでシステム１００を構成してもよく、ユニットが一つ以上のラックで積み重ねられてもよい。例えば、いくつかの例示的な構成では、１００を超えるチャンネルをサポートでき、従って５０を超えるデュアルチャンネルレシーバユニットを備える。
【００３９】
２つのアンテナがバックパネル７０１のＢＮＣコネクタ７１３およびＢＮＣコネクタ７１４に接続でき、ＲＦダイバーシティを提供できる。フィルタリングされたＲＦ出力（ＢＮＣコネクタ７０５と７０９、ＢＮＣコネクタ７０６と７１０、ＢＮＣコネクタ７０７と７１１、およびＢＮＣコネクタ７０８と７１２に対応するダイバーシティペアをサポートする）およびフィルタリングされないＲＦ出力（ＢＮＣコネクタ７１５および７１６に対応）の両方とも、同軸ケーブルを介してレシーバユニットに接続されている。
【００４０】
バックパネル７０３は２つのレシーバ（チャンネル）に対応し、ここでは、コネクタ７２１および７２２を介したデイジーチェーンによって、イーサネット接続が確立される。ダイバーシティ入力ＲＦ信号は、ＢＮＣコネクタ７１７および７１８を介して提供され、およびＢＮＣコネクタ７１９および７２０を介して別のレシーバユニットにカスケード接続される。
【００４１】
特定の実施例に対していくつかの実施形態を記載したが、他の実施形態では、上述のシステムおよび技術の多くの変形形態および代替実施形態を含む。
【００４２】
以下に例示的な実施形態を示す。
【００４３】
方法（例えば、ＲＦ分配システム）は、一つ以上の以下の態様組み合わせを含む。
・第１のＲＦコンポーネント（例えば、第１のワイアレスレシーバ）に、第１のＲＦコンポーネントの第１のポートの信号を変調することを命令する工程
・ＲＦ入力ポートのＤＣ電圧（例えば、ＯＮ／ＯＦＦまたは動作電圧レベルと中間電圧レベルとの間で）を変化させて、信号を変調する工程
・トーンで信号を変調する工程
・シリアルデータ（シンプレックスまたはデュプレックス）
・第２のＲＦコンポーネント（例えば第２のワイアレスレシーバ）から、第２のＲＦコンポーネントの第２のポートで変調された信号が検出されたことを示す内容を受信する工程
・第２のＲＦコンポーネントのカスケード接続されたＲＦ出力ポートで、変調された信号を検出する工程
・ＲＦ構成が決定されるように、残りのＲＦコンポーネントシステムに対する命令を繰り返す工程
・ＭＡＣアドレスに基づいて次のＲＦコンポーネントを決定する工程
・一貫した動作のために決定されたシステム構成を検証する工程
・接続されたＲＦコンポーネントに対する周波数帯の一貫性を検証する工程
・コンポーネントが別のコンポーネントに接続されていることを検証する工程
【００４４】
一つ以上の以下の態様の組み合わせを含む装置（例えば、ＲＦ分配システム）
・装置に以下の内容を実施させるプロセッサ−（およびオプションでメモリおよび通信インターフェースを含んでも良い）
・第１のＲＦコンポーネント（例えば、第１のワイアレスレシーバ）に、第１のＲＦコンポーネントの第１のポートの信号を変調することを指令する
・ＲＦ入力ポートのＤＣ電圧（例えば、ＯＮ／ＯＦＦまたは動作電圧レベルと  中間電圧レベルとの間で）を変化させることで、信号を変調する
・トーンで信号を変調する
・シリアルデータ（シンプレックスまたはデュプレックス）
・第２のＲＦコンポーネント（例えば第２のワイアレスレシーバ）から第２のＲＦコンポーネントの第２のポートで変調された信号が検出されたことを受信する
・第２のＲＦコンポーネントのカスケード接続されたＲＦ出力ポートで、変調された信号を検出する
・システム構成を決定するように、残りのＲＦコンポーネントに命令を繰り返す
・ＭＡＣアドレスに基づいて、次のＲＦコンポーネントを決定する
・一貫した動作のために、決定されたシステム構成を検証する
・接続されたＲＦコンポーネントに対する周波数帯の一貫性を検証する
・コンポーネントが別のコンポーネントに接続されていることを検証する
【００４５】
装置（例えば、ＲＦ分配システム）に、一つ以上の以下の態様の組み合わせを実行するように命令する、コンピュータで読み取り可能な命令を含むコンピュータ読み取り可能な記憶媒体。
・第１のＲＦコンポーネント（例えば、第１のワイアレスレシーバ）に、第１のＲＦコンポーネントの第１のポートの信号を変調することを命令する工程
・ＲＦ入力ポートのＤＣ電圧（例えば、ＯＮ／ＯＦＦまたは動作電圧レベルと  中間電圧レベルとの間で）を変更することで、信号を変調する工程
・トーンで信号を変調する工程
・シリアルデータ（シンプレックスまたはデュプレックス）
・第２のＲＦコンポーネント（例えば第２のワイアレスレシーバ）から、第２のＲＦコンポーネントの第２のポートで変調された信号が検出されたことを示す内容を受信する工程
・第２のＲＦコンポーネントのカスケード接続されたＲＦ出力ポートの変調された信号を検出する工程
・システム構成が決定されるように残りのＲＦコンポーネントに命令を繰り返す
・ＭＡＣアドレスに基づいて次のＲＦコンポーネントを決定する工程
・一貫した動作のために、決定されたシステム構成を検証する
・接続されたＲＦコンポーネントのために、周波数帯の一貫性を検証する
・コンポーネントが別のコンポーネントに接続されていることを検証する
【図１】
2013507831.tif 000003
【図２】
2013507831.tif 000004
【図３】
2013507831.tif 000005
【図４】
2013507831.tif 000006
【図５】
2013507831.tif 000007
【図６】
2013507831.tif 000008
【図７】
2013507831.tif 000009
【国際調査報告】
2013507831.tif 000010
2013507831.tif 000011